(57)【要約】  容易に移動させることができるエレベーターのおもりブロックを提供する。エレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備えた。当該構成によれば、吊りロープは、おもりブロックの本体部に掛け回された状態で本体部を吊り上げる際に抑制部と接触することで本体部から外れることを抑制される。このため、おもりブロックを容易に移動させることができる。
2020031285.tif 000002
【特許請求の範囲】
【請求項１】
エレベーターのおもり枠に形成された一対の溝にそれぞれ案内される両端部を備えた本体部と、
前記本体部の外面から突き出し、吊りロープが前記本体部に掛け回された状態で前記本体部を吊り上げる際に前記吊りロープと接触することで前記吊りロープが前記本体部から外れることを抑制する抑制部と、
を備えたエレベーターのおもりブロック。
【請求項２】
前記抑制部は、
前記吊りロープが貫通する穴を有した基部と、
前記基部を前記本体部の外面に固定する固定部と、
を備えた請求項１に記載のエレベーターのおもりブロック。
【請求項３】
前記抑制部は、
前記吊りロープが引っ掛かる基部と、
前記基部を前記本体部の外面に固定する固定部と、
を備えた請求項１に記載のエレベーターのおもりブロック。
【請求項４】
前記抑制部は、前記本体部の側面に一体に形成され、前記吊りロープが引っ掛かる請求項１に記載のエレベーターのおもりブロック。
【請求項５】
前記抑制部は、前記本体部の中心部よりも一端部の側に寄って配置された請求項１から請求項４のいずれか一項に記載のエレベーターのおもりブロック。
【請求項６】
エレベーターのおもり枠に形成された一対の溝にそれぞれ案内される両端部を備えて鉛直方向に積み重ねられた複数のおもりブロックのうちの最上段のおもりブロックの上面に請求項２または請求項３の抑制部を固定する抑制部固定工程と、
前記抑制部固定工程の後、前記最上段のおもりブロックの本体部と直下のおもりブロックの本体部との間に隙間を形成する隙間形成工程と、
前記隙間形成工程の後、吊りロープを前記最上段のおもりブロックの本体部に掛け回す吊りロープ掛け回し工程と、
前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、
を備えたエレベーターのおもりブロックの移動方法。
【請求項７】
エレベーターのおもり枠に形成された一対の溝にそれぞれ案内される両端部を備えて鉛直方向に積み重ねられた複数のおもりブロックのうちの最上段のおもりブロックの本体部と直下のおもりブロックの本体部との間に隙間を形成する隙間形成工程と、
前記隙間形成工程の後、吊りロープを前記最上段のおもりブロックの本体部に掛け回す吊りロープ掛け回し工程と、
前記吊りロープ掛け回し工程の後、前記吊りロープが前記最上段のおもりブロックの本体部の側面に一体に形成された抑制部に接触した状態で前記最上段のおもりブロックを吊り上げ、前記最上段のおもりブロックを前記おもり枠から取り外すおもりブロック取り外し工程と、
を備えたエレベーターのおもりブロックの移動方法。
【請求項８】
前記おもりブロック取り外し工程は、前記吊りロープが前記最上段のおもりブロックの前記本体部の中心部よりも一端部の側に寄って配置された抑制部に接触した状態で前記最上段のおもりブロックを斜めに吊り上げる工程を含んだ請求項６または請求項７に記載のエレベーターのおもりブロックの移動方法。
【発明の詳細な説明】
【技術分野】
【０００１】
この発明は、エレベーターのおもりブロックおよびその移動方法に関する。
【背景技術】
【０００２】
特許文献１は、エレベーターのおもりブロックの積み込み方法を開示する。当該積み込み方法によれば、おもりブロックを移動させることができる。
【先行技術文献】
【特許文献】
【０００３】
【特許文献１】日本特開２０００−３４４４４５号公報
【発明の概要】
【発明が解決しようとする課題】
【０００４】
しかしながら、特許文献１に記載の積み込み方法においては、おもりブロックを移動させるために、複雑な構成の積み込み装置が必要となる。このため、煩雑な作業が必要となる。【０００５】
この発明は、上述の課題を解決するためになされた。この発明の目的は、容易に移動させることができるエレベーターのおもりブロックおよびその移動方法を提供することである。
【課題を解決するための手段】
【０００６】
この発明に係るエレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備えた。【０００７】
この発明に係るエレベーターのおもりブロックの移動方法は、エレベーターのおもり枠に形成された一対の溝にそれぞれ案内される両端部を備えて鉛直方向に積み重ねられた複数のおもりブロックのうちの最上段のおもりブロックの上面に前記抑制部を固定する抑制部固定工程と、前記抑制部固定工程の後、前記最上段のおもりブロックの本体部と直下のおもりブロックの本体部との間に隙間を形成する隙間形成工程と、前記隙間形成工程の後、吊りロープを前記最上段のおもりブロックの本体部に掛け回す吊りロープ掛け回し工程と、前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、を備えた。【０００８】
この発明に係るエレベーターのおもりブロックの移動方法は、エレベーターのおもり枠に形成された一対の溝にそれぞれ案内される両端部を備えて鉛直方向に積み重ねられた複数のおもりブロックのうちの最上段のおもりブロックの本体部と直下のおもりブロックの本体部との間に隙間を形成する隙間形成工程と、前記隙間形成工程の後、吊りロープを前記最上段のおもりブロックの本体部に掛け回す吊りロープ掛け回し工程と、前記吊りロープ掛け回し工程の後、前記吊りロープが前記最上段のおもりブロックの本体部の側面に一体に形成された抑制部に接触した状態で前記最上段のおもりブロックを吊り上げ、前記最上段のおもりブロックを前記おもり枠から取り外すおもりブロック取り外し工程と、を備えた。
【発明の効果】
【０００９】
これらの発明によれば、吊りロープは、おもりブロックの本体部に掛け回された状態で本体部を吊り上げる際に抑制部と接触することで本体部から外れることを抑制される。このため、おもりブロックを容易に移動させることができる。
【図面の簡単な説明】
【００１０】
【図１】実施の形態１におけるエレベーターのおもりブロックが適用されるエレベーターシステムの構成図である。
【図２】実施の形態１におけるエレベーターのおもりブロックが適用される釣合いおもりの正面図である。
【図３】実施の形態１におけるエレベーターのおもりブロックの平面図である。
【図４】実施の形態１におけるエレベーターのおもりブロックの抑制部の斜視図である。
【図５】実施の形態２におけるエレベーターのおもりブロックの斜視図である。
【図６】実施の形態３におけるエレベーターのおもりブロックの斜視図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略する。
【００１２】
実施の形態１．
図１は実施の形態１におけるエレベーターのおもりブロックが適用されるエレベーターシステムの構成図である。
【００１３】
図１のエレベーターシステムにおいて、昇降路１は、建築物の各階を貫く。複数の乗場２は、建築物の各階に設けられる。複数の乗場２の各々は、昇降路１に対向する。複数の乗場２の各々は、乗場扉３を備える。
【００１４】
巻上機４は、昇降路１の上部に設けられる。巻上機４は、綱車５を備える。そらせ車６は、昇降路１の上部に設けられる。
【００１５】
一対のかごガイドレール７は、昇降路１に設けられる。一対のかごガイドレール７の各々は、鉛直方向に延びる。一対のかごガイドレール７は、互いに平行である。一対のかごガイドレール７は、互いに対向する。
【００１６】
一対のおもりガイドレール８は、昇降路１に設けられる。一対のおもりガイドレール８の各々は、鉛直方向に延びる。一対のおもりガイドレール８は、互いに平行である。一対のおもりガイドレール８は、互いに対向する。
【００１７】
主ロープ９は、綱車５とそらせ車６とに巻き掛けられる。
【００１８】
かご１０は、主ロープ９の一側に支持される。かご１０は、昇降路１の内部において一対のかごガイドレール７に沿って昇降し得るように設けられる。かご１０は、かご扉１１を備える。
【００１９】
釣合いおもり１２は、主ロープ９の他側に支持される。釣合いおもり１２は、昇降路１の内部において一対のおもりガイドレール８に沿って昇降し得るように設けられる。釣合いおもり１２は、おもり枠１３と複数のおもりブロック１４とを備える。
【００２０】
かごバッファー１５は、昇降路１の底部に設けられる。かごバッファー１５は、かご１０の下方に設けられる。
【００２１】
おもりバッファー１６は、昇降路１の底部に設けられる。おもりバッファー１６は、釣合いおもり１２の下方に設けられる。
【００２２】
次に、図２を用いて、おもりブロック１４の移動方法を説明する。
図２は実施の形態１におけるエレベーターのおもりブロックが適用される釣合いおもりの正面図である。
【００２３】
図２に示されるように、複数のおもりブロック１４の各々において、本体部１７の両端部は、おもり枠１３に形成された図示されない一対の溝にそれぞれ案内される。この状態で、複数のおもりブロック１４は、鉛直方向に積み重ねられる。最上段のおもりブロック１４において、抑制部１８は、本体部１７の上面から上方に突き出すように本体部１７の上面に固定される。この際、抑制部１８は、本体部１７の中心部よりも一端部の側に寄って配置される。
【００２４】
その後、最上段のおもりブロック１４の本体部１７と直下のおもりブロック１４の本体部１７との間において、隙間が図示されないバール等により形成される。その後、吊りロープ１９が最上段のおもりブロック１４の本体部１７に掛け回される。その後、吊りロープ１９が最上段のおもりブロック１４の抑制部１８に接触した状態で、最上段のおもりブロック１４が吊り上げられる。この際、最上段のおもりブロック１４は、一端部の側がより上方となるように斜めに吊り上げられる。その後、最上段のおもりブロック１４がおもり枠１３から取り外される。
【００２５】
これらの手順が、複数のおもりブロック１４に対して順々に行われる。その結果、全てのおもりブロック１４がおもり枠１３から取り外される。
【００２６】
次に、図３を用いて、おもりブロック１４の抑制部１８を説明する。
図３は実施の形態１におけるエレベーターのおもりブロックの平面図である。図４は実施の形態１におけるエレベーターのおもりブロックの抑制部の斜視図である。
【００２７】
図３と図４とに示されるように、抑制部１８は、基部１８ａと固定部１８ｂとを備える。
【００２８】
例えば、基部１８ａは、板状の金属を折り曲げることにより形成される。基部１８ａは、水平面と垂直面とを備える。基部１８ａの垂直面には、穴Ａが形成される。穴Ａは、吊りロープ１９が貫通し得るように形成される。
【００２９】
例えば、固定部１８ｂは、鋲で形成される。図３に示されるように、固定部１８ｂは、鋲打ち機により撃ち込まれることで基部１８ａを本体部１７の上面に固定する。
【００３０】
以上で説明した実施の形態１によれば、吊りロープ１９は、おもりブロック１４の本体部１７に掛け回された状態で本体部１７を吊り上げる際に抑制部１８と接触することで本体部１７から外れることを抑制される。このため、おもりブロック１４を容易に移動させることができる。
【００３１】
この際、吊りロープ１９は、抑制部１８の穴Ａを貫通した状態で本体部１７を吊り上げる。このため、本体部１７から外れることをより確実に抑制することができる。
【００３２】
また、抑制部１８は、本体部１７の中心部よりも一端部の側に寄って配置される。このため、おもりブロック１４は、一端部の側がより上方となるように斜めに吊り上げられる。その結果、おもりブロック１４をおもり枠１３からより容易に取り外すことができる。
【００３３】
実施の形態２．
図５は実施の形態２におけるエレベーターのおもりブロックの斜視図である。なお、実施の形態１の部分と同一又は相当部分には同一符号が付される。当該部分の説明は省略される。
【００３４】
実施の形態２のおもりブロック１４の抑制部１８において、基部１８ａは、図５においては図示されない吊りロープ１９が引っ掛かり得るように設けられる。具体的には、基部１８ａは、突出部１８ｃを備える。例えば、突出部１８ｃは、基部１８ａの上端部を本体部１７の他側に向けて折り曲げることにより形成される。
【００３５】
基部１８ａの垂直面は、吊りロープ１９がおもりブロック１４の本体部１７に掛け回された状態で本体部１７を吊り上げる際に吊りロープ１９と接触する。この際、突出部１８ｃは、吊りロープ１９の上方に配置される。
【００３６】
以上で説明した実施の形態２によれば、吊りロープ１９は、おもりブロック１４の本体部１７に掛け回された状態で本体部１７を吊り上げる際に抑制部１８の基部１８ａに引っ掛かることで本体部１７から外れることを抑制される。このため、おもりブロック１４を容易に移動させることができる。
【００３７】
この際、突出部１８ｃは、吊りロープ１９の上方に配置される。このため、本体部１７から外れることをより確実に抑制することができる。
【００３８】
実施の形態３．
図６は実施の形態３におけるエレベーターのおもりブロックの斜視図である。なお、実施の形態１の部分と同一又は相当部分には同一符号が付される。当該部分の説明は省略される。
【００３９】
実施の形態３のおもりブロック１４の一対の抑制部１８は、図５においては図示されない吊りロープ１９が引っ掛かり得るように設けられる。具体的には、一対の抑制部１８は、本体部１７の手前側の側面と奥側の側面とにそれぞれ一体に形成される。
【００４０】
以上で説明した実施の形態３によれば、一対の抑制部１８は、本体部１７の手前側の側面と奥側の側面とにそれぞれ一体に形成される。このため、おもりブロック１４を取り外す際に抑制部１８を固定する工程をなくすことができる。その結果、おもりブロック１４をおもり枠１３からより容易に取り外すことができる。
【００４１】
なお、実施の形態３の複数のおもりブロック１４は、新設時におもり枠１３に収納する場合も同様に吊り上げられる。このため、おもりブロック１４をおもり枠１３に容易に収納することができる。
【００４２】
また、実施の形態３の複数のおもりブロック１４を積み重ねる際、複数のおもりブロック１４の一対の抑制部１８がおもり枠１３の一側に寄った位置と他側に寄った位置とに交互に配置させればよい。この場合、釣合いおもり１２の幅方向の重さの偏りを抑制することができる。
【産業上の利用可能性】
【００４３】
以上のように、この発明に係るエレベーターのおもりブロックおよびその移動方法は、エレベーターシステムに利用できる。
【符号の説明】
【００４４】
１  昇降路、  ２  乗場、  ３  乗場扉、  ４  巻上機、  ５  綱車、  ６  そらせ車、  ７  かごガイドレール、  ８  おもりガイドレール、  ９  主ロープ、  １０  かご、  １１  かご扉、  １２  釣合いおもり、  １３  おもり枠、  １４  おもりブロック、  １５  かごバッファー、  １６  おもりバッファー、  １７  本体部、  １８  抑制部、  １８ａ  基部、  １８ｂ  固定部、  １８ｃ  突出部、  １９  吊りロープ
【図１】
2020031285.tif 000003
【図２】
2020031285.tif 000004
【図３】
2020031285.tif 000005
【図４】
2020031285.tif 000006
【図５】
2020031285.tif 000007
【図６】
2020031285.tif 000008
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
エレベーターのおもり枠に形成された一対の溝にそれぞれ案内される両端部を備えた本体部と、
前記本体部の外面から突き出し、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが貫通する穴を有した基部と、
前記基部を前記本体部の外面に固定する固定部と、
を備え、
前記固定部は、鋲で形成されたエレベーターのおもりブロック。
【請求項２】
エレベーターのおもり枠に形成された一対の溝にそれぞれ案内される両端部を備えた本体部と、
前記本体部の外面から突き出し、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが引っ掛かる基部と、
前記基部を前記本体部の外面に固定する固定部と、
を備え、
前記固定部は、鋲で形成されたエレベーターのおもりブロック。
【請求項３】
前記抑制部は、前記本体部の中心部よりも一端部の側に寄って配置された請求項１または請求項２に記載のエレベーターのおもりブロック。
【請求項４】
エレベーターのおもり枠に形成された一対の溝にそれぞれ案内される両端部を備えて鉛直方向に積み重ねられた複数のおもりブロックのうちの最上段のおもりブロックの上面に請求項１または請求項２の抑制部を固定する抑制部固定工程と、
前記抑制部固定工程の後、前記最上段のおもりブロックの本体部と直下のおもりブロックの本体部との間に隙間を形成する隙間形成工程と、
前記隙間形成工程の後、吊りロープを前記最上段のおもりブロックの本体部に掛け回す吊りロープ掛け回し工程と、
前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、
を備えたエレベーターのおもりブロックの移動方法。
【請求項５】
前記おもりブロック取り外し工程は、前記吊りロープが前記最上段のおもりブロックの前記本体部の中心部よりも一端部の側に寄って配置された抑制部に接触した状態で前記最上段のおもりブロックを斜めに吊り上げる工程を含んだ請求項４に記載のエレベーターのおもりブロックの移動方法。
【手続補正２】
【補正対象書類名】明細書
【補正対象項目名】０００６
【補正方法】変更
【補正の内容】
【０００６】
この発明に係るエレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが貫通する穴を有した基部と、前記基部を前記本体部の外面に固定する固定部と、を備え、前記固定部は、鋲で形成された。
【手続補正３】
【補正対象書類名】明細書
【補正対象項目名】０００７
【補正方法】変更
【補正の内容】
【０００７】
この発明に係るエレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが引っ掛かる基部と、前記基部を前記本体部の外面に固定する固定部と、を備え、前記固定部は、鋲で形成された。
【手続補正４】
【補正対象書類名】明細書
【補正対象項目名】０００８
【補正方法】変更
【補正の内容】
【０００８】
この発明に係るエレベーターのおもりブロックの移動方法は、エレベーターのおもり枠に形成された一対の溝にそれぞれ案内される両端部を備えて鉛直方向に積み重ねられた複数のおもりブロックのうちの最上段のおもりブロックの上面に前記抑制部を固定する抑制部固定工程と、前記抑制部固定工程の後、前記最上段のおもりブロックの本体部と直下のおもりブロックの本体部との間に隙間を形成する隙間形成工程と、前記隙間形成工程の後、吊りロープを前記最上段のおもりブロックの本体部に掛け回す吊りロープ掛け回し工程と、前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、を備えた。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
エレベーターのおもり枠に形成された一対の溝にそれぞれ案内される両端部を備えた本体部と、
前記本体部の外面から突き出し、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが貫通する穴を有した基部と、
前記基部を前記本体部の外面に固定する固定部と、
を備え、
前記固定部は、鋲で形成され、
前記鋲は、
前記基部を貫通して前記本体部に撃ち込まれた先端部と、
前記基部の外面の側から前記基部を前記本体部に押し付ける頭部と、
を備えたエレベーターのおもりブロック。
【請求項２】
エレベーターのおもり枠に形成された一対の溝にそれぞれ案内される両端部を備えた本体部と、
前記本体部の外面から突き出し、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが引っ掛かる基部と、
前記基部を前記本体部の外面に固定する固定部と、
を備え、
前記固定部は、鋲で形成され、
前記鋲は、
前記基部を貫通して前記本体部に撃ち込まれた先端部と、
前記基部の外面の側から前記基部を前記本体部に押し付ける頭部と、
を備えたエレベーターのおもりブロック。
【請求項３】
前記抑制部は、前記本体部の中心部よりも一端部の側に寄って配置された請求項１または請求項２に記載のエレベーターのおもりブロック。
【請求項４】
エレベーターのおもり枠に形成された一対の溝にそれぞれ案内される両端部を備えて鉛直方向に積み重ねられた複数のおもりブロックのうちの最上段のおもりブロックの上面に請求項１または請求項２の抑制部を固定する抑制部固定工程と、
前記抑制部固定工程の後、前記最上段のおもりブロックの本体部と直下のおもりブロックの本体部との間に隙間を形成する隙間形成工程と、
前記隙間形成工程の後、吊りロープを前記最上段のおもりブロックの本体部に掛け回す吊りロープ掛け回し工程と、
前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、
を備えたエレベーターのおもりブロックの移動方法。
【請求項５】
前記おもりブロック取り外し工程は、前記吊りロープが前記最上段のおもりブロックの前記本体部の中心部よりも一端部の側に寄って配置された抑制部に接触した状態で前記最上段のおもりブロックを斜めに吊り上げる工程を含んだ請求項４に記載のエレベーターのおもりブロックの移動方法。
【手続補正２】
【補正対象書類名】明細書
【補正対象項目名】０００６
【補正方法】変更
【補正の内容】
【０００６】
この発明に係るエレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが貫通する穴を有した基部と、前記基部を前記本体部の外面に固定する固定部と、を備え、前記固定部は、鋲で形成され、前記鋲は、前記基部を貫通して前記本体部に撃ち込まれた先端部と、前記基部の外面の側から前記基部を前記本体部に押し付ける頭部と、を備えた。
【手続補正３】
【補正対象書類名】明細書
【補正対象項目名】０００７
【補正方法】変更
【補正の内容】
【０００７】
この発明に係るエレベーターのおもりブロックは、エレベーターのおもり枠に形成された一対の溝にそれぞれ案内される両端部を備えた本体部と、前記本体部の外面から突き出し、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが引っ掛かる基部と、前記基部を前記本体部の外面に固定する固定部と、を備え、前記固定部は、鋲で形成され、前記鋲は、前記基部を貫通して前記本体部に撃ち込まれた先端部と、前記基部の外面の側から前記基部を前記本体部に押し付ける頭部と、を備えた。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
エレベーターのおもり枠に形成された一対の溝にそれぞれ案内される両端部を備えた本体部と、
前記本体部の外面から突き出し、前記本体部の中心部よりも一端部の側に寄って配置され、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが貫通する穴を有した基部と、
前記基部を前記本体部の外面に固定する固定部と、
を備え、
前記固定部は、鋲で形成され、
前記鋲は、
前記基部を貫通して前記本体部に撃ち込まれた先端部と、
前記基部の外面の側から前記基部を前記本体部に押し付ける頭部と、
を備え、
前記吊りロープにより前記本体部が吊り上げられた場合に、前記両端部は、前記おもり枠に形成された一対の溝に案内された状態となるエレベーターのおもりブロック。
【請求項２】
エレベーターのおもり枠に形成された一対の溝にそれぞれ案内される両端部を備えた本体部と、
前記本体部の外面から突き出し、前記本体部の中心部よりも一端部の側に寄って配置され、吊りロープが前記本体部に掛け回された状態で前記本体部を吊り上げる際に前記吊りロープと接触することで前記吊りロープが前記本体部から外れることを抑制する抑制部と、
を備え、
前記抑制部は、
前記吊りロープが引っ掛かる基部と、
前記基部を前記本体部の外面に固定する固定部と、
を備え、
前記固定部は、鋲で形成され、
前記鋲は、
前記基部を貫通して前記本体部に撃ち込まれた先端部と、
前記基部の外面の側から前記基部を前記本体部に押し付ける頭部と、
を備え、
前記吊りロープにより前記本体部が吊り上げられた場合に、前記両端部は、前記おもり枠に形成された一対の溝に案内された状態となるエレベーターのおもりブロック。
【請求項３】
エレベーターのおもり枠に形成された一対の溝にそれぞれ案内される両端部を備えて鉛直方向に積み重ねられた複数のおもりブロックのうちの最上段のおもりブロックの上面に請求項１または請求項２の抑制部を固定する抑制部固定工程と、
前記抑制部固定工程の後、前記最上段のおもりブロックの本体部と直下のおもりブロックの本体部との間に隙間を形成する隙間形成工程と、
前記隙間形成工程の後、吊りロープを前記最上段のおもりブロックの本体部に掛け回す吊りロープ掛け回し工程と、
前記吊りロープ掛け回し工程の後、前記吊りロープが前記最上段のおもりブロックの抑制部に接触した状態で前記最上段のおもりブロックを吊り上げ、前記最上段のおもりブロックを前記おもり枠から取り外すおもりブロック取り外し工程と、
を備えたエレベーターのおもりブロックの移動方法。
【請求項４】
前記おもりブロック取り外し工程は、前記吊りロープが前記最上段のおもりブロックの前記本体部の中心部よりも一端部の側に寄って配置された抑制部に接触した状態で前記最上段のおもりブロックを斜めに吊り上げる工程を含んだ請求項３に記載のエレベーターのおもりブロックの移動方法。
【手続補正２】
【補正対象書類名】明細書
【補正対象項目名】０００６
【補正方法】変更
【補正の内容】
【０００６】
この発明に係るエレベーターのおもりブロックは、エレベーターのおもり枠に形成された一対の溝にそれぞれ案内される両端部を備えた本体部と、前記本体部の外面から突き出し、前記本体部の中心部よりも一端部の側に寄って配置され、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが貫通する穴を有した基部と、前記基部を前記本体部の外面に固定する固定部と、を備え、前記固定部は、鋲で形成され、前記鋲は、前記基部を貫通して前記本体部に撃ち込まれた先端部と、前記基部の外面の側から前記基部を前記本体部に押し付ける頭部と、を備え、前記吊りロープにより前記本体部が吊り上げられた場合に、前記両端部は、前記おもり枠に形成された一対の溝に案内された状態となる。
【手続補正３】
【補正対象書類名】明細書
【補正対象項目名】０００７
【補正方法】変更
【補正の内容】
【０００７】
この発明に係るエレベーターのおもりブロックは、エレベーターのおもり枠に形成された一対の溝にそれぞれ案内される両端部を備えた本体部と、前記本体部の外面から突き出し、前記本体部の中心部よりも一端部の側に寄って配置され、吊りロープが前記本体部に掛け回された状態で前記本体部を吊り上げる際に前記吊りロープと接触することで前記吊りロープが前記本体部から外れることを抑制する抑制部と、を備え、前記抑制部は、前記吊りロープが引っ掛かる基部と、前記基部を前記本体部の外面に固定する固定部と、を備え、前記固定部は、鋲で形成され、前記鋲は、前記基部を貫通して前記本体部に撃ち込まれた先端部と、前記基部の外面の側から前記基部を前記本体部に押し付ける頭部と、を備え、前記吊りロープにより前記本体部が吊り上げられた場合に、前記両端部は、前記おもり枠に形成された一対の溝に案内された状態となる。
【国際調査報告】
2020031285.tif 000009
2020031285.tif 000010
2020031285.tif 000011
2020031285.tif 000012